(57)【要約】【課題】ユーザによる面倒な選択操作を必要とせずに、重複チャンネルの選局に対処することが可能なチューナ制御方法を提供すること。【解決手段】放送識別情報及びチャンネル番号により構成されるチャンネルコードを解釈し、チャンネル番号を解釈してチャンネルを選局するチューナに対して選局を指示するチューナ制御方法は、同一チャンネル番号を含む複数のチャンネルコード及びこれら各チャンネルコードに対応した操作情報により構成される重複情報を受信し、所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示する。【選択図】      図３
2009278559.tif 000002
【特許請求の範囲】
【請求項１】
放送識別情報及びチャンネル番号により構成されるチャンネルコードを解釈し、チャンネル番号を解釈してチャンネルを選局するチューナに対して選局を指示するチューナ制御装置であって、
同一チャンネル番号を含む複数のチャンネルコード、及びこれら各チャンネルコードに対応した操作情報により構成される重複情報を受信する重複情報受信手段と、
所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示する選局指示手段と、
前記選局指示に基づきチャンネルを選局して映像を得る前記チューナから送信される前記映像を受信する映像受信手段と、
を備えたことを特徴とするチューナ制御装置。
【請求項２】
前記重複情報受信手段は、
前記チューナを識別するためのチューナ識別情報及び前記チャンネルコードに基づく番組サービスの提供事業者を識別するためのサービス識別情報を含む重複情報要求を重複情報管理サーバに対して送信し、
前記重複情報管理サーバにより管理された複数の重複情報であって、前記チューナ識別情報及び前記サービス識別情報に基づき区別された複数の重複情報の中から、前記重複情報要求に含まれた前記チューナ識別情報及び前記サービス識別情報に対応した前記重複情報を受信する、
ことを特徴とする請求項１に記載のチューナ制御装置。
【請求項３】
前記選局指示手段は、視聴のための前記所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示する、
ことを特徴とする請求項１に記載のチューナ制御装置。
【請求項４】
前記選局指示手段は、予約録画のための前記所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示する、
ことを特徴とする請求項１に記載のチューナ制御装置。
【請求項５】
前記チューナは、前記チューナ制御装置から送信される前記所定のチャンネルコードに含まれたチャンネル番号に該当する複数のチャンネルが存在する場合、これら複数のチャンネルの選択項目を提示するものであって、
前記選局指示手段は、前記重複情報に前記所定のチャンネルコードが含まれている場合には前記所定のチャンネルコードに含まれたチャンネル番号を前記選択項目の中から選択するための前記操作情報を前記チューナに対して送信し選局を指示する、
ことを特徴とする請求項１に記載のチューナ制御装置。
【請求項６】
放送識別情報及びチャンネル番号により構成されるチャンネルコードを解釈し、チャンネル番号を解釈してチャンネルを選局するチューナに対して選局を指示するチューナ制御方法であって、
同一チャンネル番号を含む複数のチャンネルコード、及びこれら各チャンネルコードに対応した操作情報により構成される重複情報を受信し、
所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示し、
前記選局指示に基づきチャンネルを選局して映像を得る前記チューナから送信される前記映像を受信する、
ことを特徴とするチューナ制御方法。
【請求項７】
前記チューナを識別するためのチューナ識別情報及び前記チャンネルコードに基づく番組サービスの提供事業者を識別するためのサービス識別情報を含む重複情報要求を重複情報管理サーバに対して送信し、
前記重複情報管理サーバにより管理された複数の重複情報であって、前記チューナ識別情報及び前記サービス識別情報に基づき区別された複数の重複情報の中から、前記重複情報要求に含まれた前記チューナ識別情報及び前記サービス識別情報に対応した前記重複情報を受信する、
ことを特徴とする請求項６に記載のチューナ制御方法。
【請求項８】
前記チューナは、前記チューナ制御装置から送信される前記所定のチャンネルコードに含まれたチャンネル番号に該当する複数のチャンネルが存在する場合、これら複数のチャンネルの選択項目を提示するものであって、
前記重複情報に前記所定のチャンネルコードが含まれている場合には前記所定のチャンネルコードに含まれたチャンネル番号を前記選択項目の中から選択するための前記操作情報を前記チューナに対して送信し選局を指示する、
ことを特徴とする請求項６に記載のチューナ制御方法。
【請求項９】
放送識別情報及びチャンネル番号により構成されるチャンネルコードを解釈し、チャンネル番号を解釈してチャンネルを選局するチューナに対して選局を指示するチューナ制御装置、及び前記チューナ制御装置とネットワークを介して接続する重複情報管理サーバにより実行されるチューナ制御方法であって、
前記重複情報管理サーバは、
同一チャンネル番号を含む複数のチャンネルコード、及びこれら各チャンネルコードに対応した操作情報により構成される重複情報を管理し、
前記重複情報を前記チューナ制御装置へ送信し、
前記チューナ制御装置は、
前記重複情報を前記重複情報管理サーバから受信し、
所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示し、
前記選局指示に基づきチャンネルを選局して映像を得る前記チューナから送信される前記映像を受信する、
ことを特徴とするチューナ制御方法。
【請求項１０】
前記重複情報管理サーバは、複数の重複情報を管理し、これら複数の重複情報は、前記チューナを識別するためのチューナ識別情報及び前記チャンネルコードに基づく番組サービスの提供事業者を識別するためのサービス識別情報により区別された情報であり、
前記チューナ制御装置は、前記チューナ識別情報及び前記サービス識別情報を含む重複情報要求を前記重複情報管理サーバに対して送信し、
前記重複情報管理サーバは、前記複数の重複情報の中から、前記重複情報要求に含まれた前記チューナ識別情報及び前記サービス識別情報に対応する前記重複情報を選択し、選択した前記重複情報を前記チューナ制御装置へ送信し、
前記チューナ制御装置は、前記重複情報管理サーバから送信される前記重複情報を受信する、
ことを特徴とする請求項９に記載のチューナ制御方法。
【請求項１１】
放送識別情報及びチャンネル番号により構成されるチャンネルコードを解釈し、チャンネル番号を解釈してチャンネルを選局するチューナに対して選局を指示するチューナ制御装置とネットワークを介して接続する重複情報管理サーバは、
同一チャンネル番号を含む複数のチャンネルコード、及びこれら各チャンネルコードに対応した操作情報により構成される複数の重複情報を管理し、これら複数の重複情報は、前記チューナを識別するためのチューナ識別情報及び前記チャンネルコードに基づく番組サービスの提供事業者を識別するためのサービス識別情報により区別された情報であり、
前記チューナ制御装置から送信された、前記チューナ識別情報及び前記サービス識別情報を含む重複情報要求を受信し、
前記複数の重複情報の中から、前記重複情報要求に含まれた前記チューナ識別情報及び前記サービス識別情報に対応した重複情報を選択し、
選択した前記重複情報を前記チューナ制御装置へ送信する、
ことを特徴とする重複情報管理サーバ。
【発明の詳細な説明】
【技術分野】
【０００１】
本発明は、放送識別情報及びチャンネル番号により構成されるチャンネルコードを解釈し、チャンネル番号を解釈してチャンネルを選局するチューナに対して選局を指示するチューナ制御装置、チューナ制御方法、及びチューナ制御システムに関する。
【背景技術】
【０００２】
近年、地上波、ＢＳ、ＣＳデジタル放送サービスが普及し、これらのデジタル放送サービスをケーブルＴＶ事業者を介して視聴する環境が提供されている。具体的には、ＳＴＢ（セットトップボックス）と呼ばれるチューナの一種が、レコーダーなどのチューナ制御装置から指定されたチャンネル番号に基づき、地上波、ＢＳ、ＣＳデジタル放送サービスにより提供される複数のチャンネルの中から指定されたチャンネルを選択し、選択されたチャンネルの映像をレコーダーへ送信する。これにより、レコーダーを介して選択されたチャンネルの映像を視聴したり、レコーダーを介して選択されたチャンネルの映像をレコーダーにて録画したりすることができる。
【０００３】
ところが、地上波、ＢＳ、ＣＳデジタル放送サービスにおいてチャンネル番号の重複という問題がある。例えば、ＢＳのチャンネル番号１０１とＣＳのチャンネル番号１０１とが存在し、両者において異なる番組が放送されていると仮定する。このようなケースで、チューナは、チャンネル番号１０１を指定されただけでは、ＢＳのチャンネル番号１０１を選択するべきなのか、ＣＳのチャンネル番号１０１を選択するべきなのか判断できない。
【０００４】
そこで、このようなケースで、ＢＳのチャンネル番号１０１とＣＳのチャンネル番号１０１とをユーザに提示して選択させる技術が提案されている（特許文献１参照）。
【特許文献１】特開２００２−９４８８９
【発明の開示】
【発明が解決しようとする課題】
【０００５】
しかしながら、上記技術では、ユーザによる面倒な選択操作が必要となる。それだけでなく、例えば、録画予約に対応してチャンネルの重複が発生した場合には、ユーザが選択操作できないこともあり得る。
【０００６】
本発明の目的は、ユーザによる面倒な選択操作を必要とせずに、重複チャンネルの選局に対処することが可能なチューナ制御装置、チューナ制御方法、及びチューナ制御システムを提供することにある。
【課題を解決するための手段】
【０００７】
この発明の一実施形態に係るチューナ制御装置は、放送識別情報及びチャンネル番号により構成されるチャンネルコードを解釈し、チャンネル番号を解釈してチャンネルを選局するチューナに対して選局を指示するチューナ制御装置であって、
このチューナ制御装置は、同一チャンネル番号を含む複数のチャンネルコード、及びこれら各チャンネルコードに対応した操作情報により構成される重複情報を受信する重複情報受信手段と、所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示する選局指示手段と、前記選局指示に基づきチャンネルを選局して映像を得るチューナから送信される前記映像を受信する映像受信手段と、を備えている。
【０００８】
この発明の一実施形態に係るチューナ制御方法は、放送識別情報及びチャンネル番号により構成されるチャンネルコードを解釈し、チャンネル番号を解釈してチャンネルを選局するチューナに対して選局を指示するチューナ制御方法であって、
このチューナ制御方法は、同一チャンネル番号を含む複数のチャンネルコード、及びこれら各チャンネルコードに対応した操作情報により構成される重複情報を受信し、所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示し、前記選局指示に基づきチャンネルを選局して映像を得るチューナから送信される前記映像を受信する。
【０００９】
この発明の一実施形態に係るチューナ制御方法は、放送識別情報及びチャンネル番号により構成されるチャンネルコードを解釈し、チャンネル番号を解釈してチャンネルを選局するチューナに対して選局を指示するチューナ制御装置、及び前記チューナ制御装置とネットワークを介して接続する重複情報管理サーバにより実行されるチューナ制御方法であって、
前記重複情報管理サーバは、同一チャンネル番号を含む複数のチャンネルコード、及びこれら各チャンネルコードに対応した操作情報により構成される重複情報を管理し、前記重複情報を前記チューナ制御装置へ送信し、
前記チューナ制御装置は、前記重複情報を前記重複情報管理サーバから受信し、所定のチャンネルコードに基づく選局指示に対応して、前記重複情報に前記所定のチャンネルコードが含まれている場合には前記所定のチャンネルコードに含まれたチャンネル番号及び前記所定のチャンネルコードに対応した操作情報を前記チューナに対して送信し選局を指示し、前記重複情報に前記所定のチャンネルコードが含まれていない場合には前記所定のチャンネルコードに含まれたチャンネル番号を前記チューナに対して送信し選局を指示し、前記選局指示に基づきチャンネルを選局して映像を得る前記チューナから送信される前記映像を受信する。
【００１０】
この発明の一実施形態に係る重複情報管理サーバは、放送識別情報及びチャンネル番号により構成されるチャンネルコードを解釈し、チャンネル番号を解釈してチャンネルを選局するチューナに対して選局を指示するチューナ制御装置とネットワークを介して接続する重複情報管理サーバであって、
この重複情報管理サーバは、同一チャンネル番号を含む複数のチャンネルコード、及びこれら各チャンネルコードに対応した操作情報により構成される複数の重複情報を管理し、これら複数の重複情報は、前記チューナを識別するためのチューナ識別情報及び前記チャンネルコードに基づく番組サービスの提供事業者を識別するためのサービス識別情報により区別された情報であり、前記チューナ制御装置から送信された、前記チューナ識別情報及び前記サービス識別情報を含む重複情報要求を受信し、前記複数の重複情報の中から、前記重複情報要求に含まれた前記チューナ識別情報及び記サービス識別情報に対応した重複情報を選択し、選択した前記重複情報を前記チューナ制御装置へ送信する。
【発明の効果】
【００１１】
本発明によれば、ユーザによる面倒な選択操作を必要とせずに、重複チャンネルの選局に対処することが可能なチューナ制御装置及びチューナ制御方法を提供できる。
【発明を実施するための最良の形態】
【００１２】
以下、図面を参照し、本発明の実施形態について説明する。
【００１３】
図１は、本発明の一実施形態に係る番組視聴録画システム（チューナ制御システム）の概略構成を示す図である。図１に示すように、番組視聴録画システムは、第１の機器（チューナ制御装置）１０、第２の機器（チューナ）２０、配信サーバ（重複情報管理サーバ）３０を備えている。
【００１４】
第１の機器１０と配信サーバ３０とはネットワークを介して接続されている。また、第１の機器１０は、第２の機器２０に対して主となる機器であり、第２の機器２０は、第１の機器１０に対して従となる機器であり、第１の機器１０と第２の機器２０とは映像信号ラインを介して接続されており、さらに第１の機器１０からの赤外線信号を第２の機器２０で受信可能に構成されている。第１の機器１０は、例えばハードディスクレコーダである。
【００１５】
第１の機器１０は、赤外線送出部１１、制御部１２、映像入力部１３、録画処理部１４、記憶部１５、コード処理部１６、通信部１７、操作部１８を備えている。第２の機器２０は、赤外線受光部２１、選局処理部２２、チューナ部２３、映像出力部２４、表示部２５を備えている。配信サーバ３０は、制御部３１、通信部３２、記憶部３３を備えている。
【００１６】
第１の機器１０は、放送識別情報及びチャンネル番号により構成されるチャンネルコードを解釈し、チューナに対して選局（チャンネル番号）を指示する。これに対して、第２の機器２０は、チャンネル番号を解釈してチャンネルを選局する。
【００１７】
チャンネルコードは、例えばC200-101のように示され、チャンネルコードの前半のC200が放送識別情報を示し、後半の101がチャンネル番号を示す。放送識別情報は地上波デジタル、ＢＳ、ＣＡＴＶ、ＣＳ１、ＣＳ２などを識別するための情報である。よって、図８に示すように、ＣＡＴＶのチャンネル番号101、ＣＡＴＶのチャンネル番号102、ＣＡＴＶのチャンネル番号103は、C200-101、C200-102、C200-103のように示される。また、ＢＳのチャンネル番号101、ＢＳのチャンネル番号102、ＢＳのチャンネル番号103は、C999-101、C999-102、C999-103のように示される。
【００１８】
C200、C999等の放送識別情報は、第１の機器１０の制御/チャンネルコードの管理のために設定、管理されているもので、第２の機器２０により識別できる情報ではない。例えば、第２の機器２０は、放送識別情報を受け取っても無視してしまう。また、チャンネルを選局するためには、赤外線(リモコン)を通じてデータを送出するため、第２の機器２０側で理解できないコードは送出できないことになっている。そのため、放送識別情報の代わりに、第１の機器１０からは、第２の機器２０で理解できるネットワーク切換(BS,CS,CATV)を送出する。このネットワーク切換を送出してもわざわざ重複チャンネル選択画面を表示してしまう第２の機器２０がある。そのために、以下説明するように、第１の機器１０は、第２の機器２０に対して、チャンネル番号及び操作情報を送出し、目的のチャンネルを自動選択させる。
【００１９】
第１の機器１０は、上記したように、チャンネルコードを解釈することができるので、C200-101とC999-101とを区別することができる。これに対して、第２の機器２０は、チャンネルコードではなくチャンネル番号を解釈するだけなので、C200-101とC999-101とを区別することができない（第２の機器２０は、C200、C999の放送識別情報は受け取らない、或いは無視してしまう）。そこで、後述する重複情報を利用し、第１の機器１０がC200-101を指定したときに、第２の機器２０がC200-101とC999-101の中からC200-101を自動選択し、また、第１の機器１０がC999-101を指定したときに、第２の機器２０がC200-101とC999-101の中からC999-101を自動選択することができるシステムを提供する。
【００２０】
配信サーバ３０の記憶部３３は、後述する重複情報を記憶しており、配信サーバ３０の通信部３２は、第１の機器１０からの重複情報要求に対応して重複情報を第１の機器１０に対して送信する。第１の機器１０は、重複情報に基づき制御信号を赤外線送出部１１から送信し、第２の機器２０を制御する。第２の機器２０は、赤外線受光部２１により受光された赤外線信号に基づき、チャンネルを選局して得られた映像を映像出力部２４を介して第１の機器１０へ送信する。第１の機器１０は、映像入力部１３を介して受信される映像を出力したり、録画処理部１４により録画したりする。
【００２１】
ここで、配信サーバ３０により管理される重複情報について説明する。つまり、記憶部３３に記憶される重複情報について説明する。
【００２２】
重複情報は、同一チャンネル番号を含む複数のチャンネルコード、及びこれら各チャンネルコードに対応した操作情報により構成される。例えば、重複情報は、C300-211（操作情報：down, down, enter）、C300-222（操作情報：down, down, enter）、C999-211（操作情報：down, enter）、C999-222（操作情報：down, enter）により構成される。
【００２３】
図６、図９、及び図１０は、配信サーバ３０により管理される重複情報をより詳細に説明するための図である。重複情報の本質は、ＢＳやＣＡＴＶなどで重複しているチャンネル番号を特定することである。ところが、番組サービスの提供事業者によって、チャンネル番号が異なるため、提供事業者毎に重複情報を用意する必要がある。同様に、第２の機器（チューナ）のメーカによって、選局方法が異なるため、第２の機器のメーカ毎に重複情報を用意する必要がある。即ち、図６及び図９に示すように、番組サービスの提供事業者を識別するためのサービスＩＤ及び第２の機器（チューナ）のメーカを識別するためのチューナＩＤに対応した複数の重複情報を用意する必要がある。
【００２４】
図２は、図１に示す第１の機器１０の制御部１２の概略構成を示す図である。図２に示すように、制御部１２は、チャンネル重複情報検索処理部１２１、チャンネル重複情報解析部１２２、チャンネル重複情報記憶部１２３、チャンネル重複判定部１２４、選局処理部１２５、チャンネル選択コントロール信号送信部１２６を備えている。
【００２５】
図３は、第１の機器１０、第２の機器２０、及び配信サーバ３０の動作概要を示す図である。図４は、第１の機器１０と配信サーバ３０の動作を示すフローチャートである。図５は、第１の機器１０と第２の機器２０の動作を示すフローチャートである。
【００２６】
以下、番組視聴録画システムの動作、つまり重複情報を利用した動作について説明する。上記したように、配信サーバ３０は、複数の重複情報を管理している。即ち、サービスＩＤ１及びチューナＩＤ１用の重複情報、サービスＩＤ１及びチューナＩＤ２用の重複情報、サービスＩＤ１及びチューナＩＤ３用の重複情報、サービスＩＤ２及びチューナＩＤ１用の重複情報、サービスＩＤ２及びチューナＩＤ２用の重複情報、…を管理している。
【００２７】
図３及び図４に示すように、例えば第１の機器１０の初期設定時又は設定変更時に（ＳＴ１０１）、第１の機器１０のチャンネル重複情報検索処理部１２１は、通信部１７を介して、第２の機器２０を識別するためのチューナＩＤ及びサービスＩＤを含む重複情報取得要求を配信サーバ３０に対して送信する（ＳＴ１０２）。つまり、第１の機器１０に対して接続された第２の機器２０のチューナＩＤ及び第２の機器２０により利用されている番組サービスの提供事業者を識別するためのサービスＩＤを含む重複情報取得要求が配信サーバ３０に対して送信される。
【００２８】
図３及び図４に示すように、配信サーバ３０は、重複情報取得要求を受信し、受信した重複情報取得要求を解析し（ＳＴ２０１）、配信サーバ３０が重複情報を保持していれば（ＳＴ２０２、ＹＥＳ）、受信した重複情報取得要求に含まれるチューナＩＤ及びサービスＩＤに基づき、管理されている複数の重複情報の中から該当する重複情報を選択し（ＳＴ２０３）、選択した重複情報を第１の機器１０に対して送信する（ＳＴ２０４）。これにより、第１の機器１０は、接続相手の第２の機器２０の機種に対応し、且つ第２の機器２０により利用されている番組サービスの提供事業者に対応した重複情報をダウンロードすることができる。第１の機器１０は、ダウンロードした重複情報をコード処理部１６により解析し、さらにチャンネル重複情報解析処理部１２２により解析し（ＳＴ１０３）、チャンネル重複情報記憶処理部１２３が、解析された重複情報を記憶部１５に記憶する（ＳＴ１０４）。
【００２９】
なお、第１の機器１０が、管理サーバ３０に対して重複情報取得要求を送信するタイミングの具体例としては、番組サービスの提供事業者の初期設定時及び設定変更時が挙げられる。さらに、第１の機器１０の接続相手である第２の機器（チューナ）の初期設定時及び設定変更時が挙げられる。つまり、番組サービスの提供事業者に変更が生じたり、第１の機器１０の接続相手である第２の機器に変更が生じたりした場合には、管理サーバ３０に対して重複情報取得要求が送信される。または、配信サーバ３０から第１の機器へ提供される番組表更新時が挙げられる。なお、本発明では、第１の機器１０が管理サーバ３０に対して重複情報取得要求を送信するタイミングは上記に限定されるものではなく、他のタイミングであってもよい。
【００３０】
図３及び図５に示すように、第１の機器１０の選局処理部１２５は、操作部１８を介して入力された視聴のための選局（チャンネルボタンによる選局又は番組表からの選択による選局）を指示し（ＳＴ３０１）、又は録画処理部１４からの録画予約のための選局を指示し（ＳＴ３０１）、第１の機器１０の制御部１２は、選局指示に基づき、記憶部１５に記憶した重複情報を参照し（ＳＴ３０２、ＹＥＳ）、第２の機器２０を制御する。つまり、第１の機器１０のチャンネル重複判定部１２４は、所定のチャンネルコードに基づく選局指示に対応して、記憶部１５に記憶した重複情報に所定のチャンネルコードが含まれているか否か判定する。第１の機器１０のチャンネル選択コントロール信号送信部１２６は、記憶部１５に記憶した重複情報に所定のチャンネルコードが含まれている旨の判定に基づき、所定のチャンネルコードに含まれたチャンネル番号及び所定のチャンネルコードに対応した操作情報を第２の機器２０に対して送信し選局を指示する（ＳＴ３０３）（ＳＴ３０４）。また、第１の機器１０のチャンネル選択コントロール信号送信部１２６は、記憶部１５に記憶した重複情報に所定のチャンネルコードが含まれていない旨の判定に基づき、所定のチャンネルコードに含まれたチャンネル番号を第２の機器２０に対して送信し選局を指示する（ＳＴ３０４）。
【００３１】
ここで一例を挙げて説明する。第１の機器１０の記憶部１５に記憶された重複情報が、C999-101（操作情報：enter）、C200-101（操作情報：down, enter）を含んでいると仮定する。上記した所定のチャンネルコードがC999-101であれば、重複情報に所定のチャンネルコードが含まれていることになる。よって、第１の機器１０のチャンネル選択コントロール信号送信部１２６は、赤外線送出部１１を介して、チャンネル番号101と操作情報（enter）を送信する。また、上記した所定のチャンネルコードがC200-101であっても、重複情報に所定のチャンネルコードが含まれていることになる。よって、第１の機器１０のチャンネル選択コントロール信号送信部１２６は、赤外線送出部１１を介して、チャンネル番号101と操作情報（down, enter）を送信する。ところが、上記した所定のチャンネルコードがC999-105であれば、重複情報に所定のチャンネルコードが含まれていないことになる。よって、第１の機器１０のチャンネル選択コントロール信号送信部１２６は、赤外線送出部１１を介して、チャンネル番号105を送信する。
【００３２】
図３及び図５に示すように、第２の機器２０は、チャンネル番号及び操作情報を受信すると（ＳＴ４０１）、受信したチャンネル番号に該当する複数のチャンネルの選択項目を提示し（ＳＴ４０２）、さらに受信した操作情報に基づき複数のチャンネルの選択項目の中から所定のチャンネルの選択項目を選択する（ＳＴ４０３）（ＳＴ４０４）。
【００３３】
例えば、第２の機器２０が、赤外線受光部２１を介して、チャンネル番号101と操作情報（enter）を受信すると、図７に示すように、受信したチャンネル番号101に該当する二つのチャンネルの選択項目（BSのチャンネル番号101とCATVのチャンネル番号101）を提示し、受信した操作情報（enter）に基づき一番目の選択項目（BSのチャンネル番号101）を選択（enter）する。これにより、第２の機器２０により選択されたBSのチャンネル番号101の映像が、第２の機器２０から第１の機器１０へ送信され、第１の機器１０は送信した映像を視聴用に提供したり、録画したりする。即ち、第１の機器１０は、所定のチャンネルコードに含まれたチャンネル番号に対応する映像を受信することができる。
【００３４】
また、第２の機器２０が、赤外線受光部２１を介して、チャンネル番号101と操作情報（down, enter）を受信すると、図７に示すように、チャンネル番号101に該当する二つのチャンネルの選択項目（BSのチャンネル番号101とCATVのチャンネル番号101）を提示し、操作情報（down, enter）に基づき二番目の選択項目（CATVのチャンネル番号101）を選択（down, enter）する。これにより、第２の機器２０により選択されたCATVのチャンネル番号101の映像が、第２の機器２０から第１の機器１０へ送信され、第１の機器１０は送信した映像を視聴用に提供したり、録画したりする。即ち、第１の機器１０は、所定のチャンネルコードに含まれたチャンネル番号に対応する映像を受信することができる。
【００３５】
以上により、第２の機器２０が、チャンネル番号を解釈し、操作情報（カーソル操作情報、決定入力情報）を解釈するだけで、重複するチャンネル番号が存在していたとしても、目的のチャンネルコードにより指定されるチャンネル番号を正確に選択することができる。その結果、第１の機器１０は、目的のチャンネルコードで指定したチャンネル番号の映像を入手することができる。また、上記したように配信サーバ上で管理している操作情報を用いて第２の機器２０の動作を制御しているため、第１の機器１０はソフトウェアのバージョンアップなどを行わなくても、第２の機器２０が、重複するチャンネル番号が存在していたとしても、目的のチャンネルコードにより指定されるチャンネル番号を正確に選択することができる。
【００３６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３７】
【図１】本発明の一実施形態に係る番組視聴録画システム（チューナ制御システム）の概略構成を示す図である。
【図２】図１に示す第１の機器の制御部の概略構成を示す図である。
【図３】第１の機器、第２の機器、及び配信サーバの動作概要を示す図である。
【図４】第１の機器と配信サーバの動作を示すフローチャートである。
【図５】第１の機器と第２の機器の動作を示すフローチャートである。
【図６】重複情報を説明するための図である。
【図７】重複したチャンネル番号に対応する二つのチャンネルの選択項目の表示例を示す図である。
【図８】重複したチャンネル番号を説明するための図である。
【図９】重複情報を説明するための図である。
【図１０】重複情報を説明するための図である。
【符号の説明】
【００３８】
１０…第１の機器、１１…赤外線送出部、１２…制御部、１３…映像入力部、１４…録画処理部、１５…記憶部、１６…コード処理部、１７…通信部、１８…操作部、２０…第２の機器、２１…赤外線受光部、２２…選局処理部、２３…チューナ部、２４…映像出力部、２５…表示部、３０…配信サーバ、３１…制御部、３２…通信部、３３…記憶部
【図１】
2009278559.tif 000003
【図２】
2009278559.tif 000004
【図３】
2009278559.tif 000005
【図４】
2009278559.tif 000006
【図５】
2009278559.tif 000007
【図６】
2009278559.tif 000008
【図７】
2009278559.tif 000009
【図８】
2009278559.tif 000010
【図９】
2009278559.tif 000011
【図１０】
2009278559.tif 000012